(57)【要約】【課題】ビデオサーバからソフトデコーダに映像ファイルデータを取得する回数を低減する。【解決手段】ビデオサーバーとソフトデコーダを有し、映像信号を映像ファイルデータとして収録し再生するテープレスシステムにおいて、ソフトデコーダ内に８以上のＧＯＰの映像ファイルデータを一時記憶する映像ファイル一時記憶部（ファイルバッファ）を有し、ソフトデコーダは、映像ファイル一時記憶部に一時記憶した映像ファイルデータをデコードして映像出力し、次に出力するフレームを含むＧＯＰの映像ファイルデータが映像ファイル一時記憶部にない場合、次に出力するフレームを含むＧＯＰの映像ファイルデータの前後の４以上のＧＯＰの映像ファイルデータを、上記ビデオサーバから上記ソフトデコーダに取得して、映像ファイル一時記憶部に一時記憶する。【選択図】図１
2011259136.tif 000002
【特許請求の範囲】
【請求項１】
放送素材の映像信号をエンコードして映像ファイルデータとして収録し再生するビデオサーバと、該ビデオサーバの再生した映像ファイルデータをデコードして映像信号として出力するソフトデコーダと、該ビデオサーバの収録と再生と上記ソフトデコーダとを制御する制御装置と制御端末とを有し、放送素材の映像信号を映像ファイルデータとして収録し再生するテープレスシステムにおいて、
上記ソフトデコーダ内に８以上のＧＯＰの映像ファイルデータを一時記憶する映像ファイル一時記憶部（ファイルバッファ）を有し、
上記ソフトデコーダは、上記映像ファイル一時記憶部に一時記憶した映像ファイルデータをデコードして映像出力し、
次に出力するフレームを含むＧＯＰの映像ファイルデータが上記映像ファイル一時記憶部にない場合、
次に出力するフレームを含むＧＯＰの映像ファイルデータの前後の４以上のＧＯＰの映像ファイルデータを、上記ビデオサーバから上記ソフトデコーダに取得して、上記映像ファイル一時記憶部に一時記憶することを特徴とするテープレスシステム。
【発明の詳細な説明】
【技術分野】
【０００１】
本発明は、番組素材を、ビデオサーバに映像ファイルデータ形式で記録した上でオンエアーする方式のテープレスシステムに関するものである。
【背景技術】
【０００２】
テレビジョン放送業務では、従来からビデオサーバを備えたノンリニアバンクシステムを用い、ＶＴＲ(Video Tape Recorder）等の記録装置に記録されている番組やＣＭ等の放送素材を、ビデオサーバに記録（以下収録と省略）した上でオンエアして放送している（特許文献１参照）。ビデオサーバの入出力信号が非圧縮の映像信号から、圧縮された映像ファイルデータ形式となり、テープレスシステムと呼称されるようになった。
【０００３】
つまり、テープレスシステムでは、放送素材の映像信号をＭＰＥＧ（Moving  Picture  Experts  Group）等で動画圧縮（エンコード）し、映像ファイルデータとして収録し再生する。
【０００４】
始めに図２に従来のJog動作によるビデオサーバとソフトデコーダの動作をまとめる。従来の方式はJog動作により、バッファ内のデータが失われる度にファイル蓄積サーバへ次のデータを取得していた（特許文献２参照）。
【０００５】
Jog機能の性質上、前後に映像を動かす事を多用するため、サーバアクセスが頻繁に行われていた。特に逆方向の読み込みはファイル蓄積サーバのディスクデータ配置の構造上、１フレーム毎にデータを取得するのは、サーバにとって負荷の高いものであった。
【先行技術文献】
【特許文献】
【０００６】
【特許文献１】特開２００５ −２１０４９０号公報
【特許文献２】特開２００１ −３４６１６７号公報
【発明の概要】
【発明が解決しようとする課題】
【０００７】
本発明は、ビデオサーバからソフトデコーダに映像ファイルデータを取得する回数を低減することを目的とする。
【課題を解決するための手段】
【０００８】
本発明は、上記の目的を達成するために、放送素材の映像信号をエンコードして映像ファイルデータとして収録し再生するビデオサーバと、該ビデオサーバの再生した映像ファイルデータをデコードして映像信号として出力するソフトデコーダと、該ビデオサーバの収録と再生と上記ソフトデコーダとを制御する制御装置と制御端末とを有し、放送素材の映像信号を映像ファイルデータとして収録し再生するテープレスシステムにおいて、上記ソフトデコーダ内に８以上のＧＯＰの映像ファイルデータを一時記憶する映像ファイル一時記憶部（ビデオファイルバッファ）を有し、上記ソフトデコーダは、上記映像ファイル一時記憶部に一時記憶した映像ファイルデータをデコードして映像出力し、次に出力するフレームを含むＧＯＰの映像ファイルデータが上記映像ファイル一時記憶部にない場合、次に出力するフレームを含むＧＯＰの前後の４以上のＧＯＰの映像ファイルデータを、上記ビデオサーバから上記ソフトデコーダに取得して、上記映像ファイル一時記憶部に一時記憶することを特徴とするテープレスシステムである。
【発明の効果】
【０００９】
以上のように本発明によれば、ビデオサーバからソフトデコーダに映像ファイルデータを取得する回数を低減することができる。
【図面の簡単な説明】
【００１０】
【図１】本発明の１実施例のテープレスシステムの再生動作を示す模式図
【図２】本発明の１実施例のテープレスシステムの構成を示すブロック図
【図３】従来のテープレスシステムの再生動作を示す模式図
【図４】従来のテープレスシステムの構成を示すブロック図
【発明を実施するための形態】
【実施例１】
【００１１】
まず本発明の１実施例のテープレスシステムの再生動作を本発明の１実施例のテープレスシステムの構成を示すブロック図の図２と本発明の１実施例のテープレスシステムの再生動作を示す模式図の図１とを用いて説明する。
【００１２】
本発明の１実施例のテープレスシステムの構成を示すブロック図の図２において、１は映像信号記録再生装置（ＶＴＲ）、２はマトリクススイッチャ、３は収録再生端末、４はビデオサーバ、５は制御装置（収録再生コントローラ）、６，７，８は映像ファイル一時記憶部を含むソフトデコーダである。
【００１３】
放送素材収録時はまず、映像信号記録再生装置（ＶＴＲ）１からマトリクススイッチャ２を経由して、ビデオサーバ４へ放送素材の映像信号（High  Definition−Serial  Degital  Interface：ＨＤ−ＳＤＩ：ＳＤＩと省略）を入力しエンコードして映像ファイルデータとして収録する。一定時間経過後、収録されている素材は時差再生（プレビュー）が可能となり、ビデオサーバ４から再生された映像ファイルデータは映像ファイル一時記憶部を含むソフトデコーダ６，７，８でデコードされ映像信号として出力され、マトリックススイッチャ２を介して収録再生端末３に入力することで、放送の映像信号との確認を行なう。
【００１４】
また、ビデオサーバ４から再生された映像ファイルデータは映像ファイル一時記憶部を含むソフトデコーダ６，７，８でデコードされ映像信号として出力され、放送映像としてＯＮ−Ａｉｒされる。
【００１５】
放送素材の映像信号をエンコードして映像ファイルデータとして収録し再生するビデオサーバと、該ビデオサーバの再生した映像ファイルデータをデコードして映像信号として出力するソフトデコーダと、該ビデオサーバの収録と再生と上記ソフトデコーダとを制御する制御装置と制御端末とを有し、放送素材の映像信号を映像ファイルデータとして収録し再生するテープレスシステムにおいて、上記ソフトデコーダ内に８以上のＧＯＰの映像ファイルデータを一時記憶する映像ファイル一時記憶部（ビデオファイルバッファ）を有する。
【００１６】
上記ソフトデコーダは、上記映像ファイル一時記憶部に一時記憶した映像ファイルデータをデコードして映像出力し、次に出力するフレームを含むＧＯＰの映像ファイルデータが上記映像ファイル一時記憶部にない場合、次に出力するフレームを含むＧＯＰの映像ファイルデータの前後の４以上のＧＯＰの映像ファイルデータを、上記ビデオサーバから上記ソフトデコーダに取得して、上記映像ファイル一時記憶部に一時記憶する。
【００１７】
つまり、本発明の１実施例ではテープレスシステムに次に出力するフレームを含むＧＯＰの映像ファイルデータの前後の４以上のＧＯＰの映像ファイルデータを、上記ビデオサーバから上記ソフトデコーダに取得することにより、ビデオサーバからソフトデコーダに映像ファイルデータを取得する回数を低減する。
【符号の説明】
【００１８】
１：映像信号記録再生装置（ＶＴＲ）、
２：マトリクススイッチャ、
３：収録再生端末、
４：ビデオサーバ、
５：制御装置（収録再生コントローラ）、
６，７，８：映像ファイル一時記憶部（ファイルバッファ）を含むソフトデコーダ、
９，１０：映像信号一時記憶部（ビデオバッファ）を含むソフトデコーダ、
【図１】
2011259136.tif 000003
【図２】
2011259136.tif 000004
【図３】
2011259136.tif 000005
【図４】
2011259136.tif 000006